(57)【要約】  ワイヤレス多元接続方式間の動的な切換えのための方法、システム、および装置について記載する。いくつかの態様では、ワイやレス通信チャネルの複数の送信／受信ビームフォーミング方向対それぞれに対応する複数の特性が識別され得、ワイヤレス通信チャネルにおける通信のために使用されるワイヤレス多元接続方式が、識別された複数の特性に少なくとも部分的に基づいて動的に切り換えられ得、ここで、ワイヤレス多元接続方式は、直交周波数分割多元接続（ＯＦＤＭＡ）とシングルキャリア周波数分割多元接続（ＳＣ−ＦＤＭＡ）とを備える。【選択図】図１１
2017530594.tif 000002
【特許請求の範囲】
【請求項１】
ワイヤレス通信のための方法であって、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える方法。
【請求項２】
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定することをさらに備える、請求項１に記載の方法。
【請求項３】
各特性はそれぞれ、送信または受信ビーム幅を備える、請求項１に記載の方法。
【請求項４】
前記通信にどのワイヤレス多元接続方式を使用すべきかを決定するために、様々な送信および／または受信ビーム幅を使用して前記複数の送信／受信ビームフォーミング方向対のうちの１つまたは複数についてそれぞれのチャネル品質決定信号を送信することをさらに備える、請求項３に記載の方法。
【請求項５】
前記１つの送信／受信ビームフォーミング方向対に対応する前記特性が所定のしきい値よりも大きいかまたは小さいかに少なくとも部分的に基づいて、前記通信のためにＯＦＤＭＡを使用すべきかまたはＳＣ−ＦＤＭＡを使用すべきかを決定することをさらに備える、請求項１に記載の方法。
【請求項６】
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
をさらに備える、請求項１に記載の方法。
【請求項７】
複数の異なる周波数を使用して同時発生的に、または類似の周波数を使用して異なる時点において、前記チャネル品質決定信号を送信することをさらに備える、請求項６に記載の方法。
【請求項８】
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、請求項６に記載の方法。
【請求項９】
前記通信のためにＯＦＤＭＡが使用されるかまたはＳＣ−ＦＤＭＡが使用されるかのインジケーションを送信することをさらに備える、請求項６に記載の方法。
【請求項１０】
前記複数の特性を監視することと、
前記監視された特性に少なくとも部分的に基づいて前記ワイヤレス多元接続方式間で動的に切り換え続けることと、
をさらに備える、請求項６に記載の方法。
【請求項１１】
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
をさらに備える、請求項１に記載の方法。
【請求項１２】
前記決定されたチャネル品質測定値を送信することをさらに備える、請求項１１に記載の方法。
【請求項１３】
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定することをさらに備える、請求項１１に記載の方法。
【請求項１４】
前記複数の送信／受信ビームフォーミング方向対の各々についてチャネル品質決定信号を送信することと、
前記ワイヤレス通信チャネルの前記複数の特性を受信することと、ここで、前記複数の特性の各々は、前記送信されたチャネル品質決定信号に少なくとも部分的に基づくそれぞれのチャネル品質測定値を備える、
前記受信された複数の特性に少なくとも部分的に基づいて前記通信のためにＯＦＤＭＡを使用すべきかまたはＳＣ−ＦＤＭＡを使用すべきかを決定することと、
をさらに備える、請求項１に記載の方法。
【請求項１５】
前記ワイヤレス通信チャネルは、ミリ波波長無線周波数チャネルである、請求項１に記載の方法。
【請求項１６】
送信機が、前記複数の特性を受信し、前記ワイヤレス通信チャネルにおける前記通信のためにＯＦＤＭＡを使用すべきかまたはＳＣ−ＦＤＭＡを使用すべきかを決定する、請求項１に記載の方法。
【請求項１７】
前記複数の送信／受信ビームフォーミング方向対の各々は、ビームフォーミングされた信号が送信機から伝搬する前記送信機の向きに対する送信ビームフォーミング方向を備え、そしてまた、前記ビームフォーミングされた信号が受信される受信機の向きに対する受信ビームフォーミング方向を備える、請求項１に記載の方法。
【請求項１８】
ワイヤレス通信のための装置であって、
ワイヤレス通信チャネルの複数の送信／受信ビームフォーミング方向対のそれぞれに対応する複数の特性を識別するための手段と、
前記識別された複数の特性に少なくとも部分的に基づいて前記ワイヤレス通信チャネルにおける通信に使用するためにワイヤレス多元接続方式間で動的に切り換えるための手段と、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える装置。
【請求項１９】
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定するための手段をさらに備える、請求項１８に記載の装置。
【請求項２０】
前記複数の送信／受信ビームフォーミング方向対のそれぞれ１つごとにチャネル品質決定信号を送信するための手段と、
前記複数の送信／受信ビームフォーミング方向対のうちの少なくともいくつかに対応するそれぞれのチャネル品質測定値を受信するための手段と、
前記受信されたチャネル品質測定値に少なくとも部分的に基づいて前記通信のためにＯＦＤＭＡを使用すべきかまたはＳＣ−ＦＤＭＡを使用すべきかを決定するための手段と、
をさらに備える、請求項１８に記載の装置。
【請求項２１】
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、請求項２０に記載の装置。
【請求項２２】
前記複数の特性を監視するための手段と、
前記監視された特性に少なくとも部分的に基づいて前記ワイヤレス多元接続方式間で動的に切り換え続けるための手段と、
をさらに備える、請求項２０に記載の装置。
【請求項２３】
前記複数の送信／受信ビームフォーミング方向対のうちの１つまたは複数に対応する１つまたは複数のチャネル品質決定信号を受信するための手段と、
前記複数の送信／受信ビームフォーミング方向対のうちの前記１つまたは複数の各々に対応するチャネル品質測定値を決定するための手段と、ここで、前記チャネル品質測定値は、前記それぞれのチャネル品質決定信号に少なくとも部分的に基づく、
をさらに備える、請求項１８に記載の装置。
【請求項２４】
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定するための手段をさらに備える、請求項２３に記載の装置。
【請求項２５】
前記ワイヤレス通信チャネルは、ミリ波波長無線周波数チャネルである、請求項１８に記載の装置。
【請求項２６】
ワイヤレス通信のための装置であって、
プロセッサと、
前記プロセッサと電子通信するメモリと、
前記メモリに記憶された命令とを備え、前記命令は、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を行うように前記プロセッサによって実行可能である、
装置。
【請求項２７】
前記メモリは、
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
を行うように前記プロセッサによって実行可能な命令をさらに備える、請求項２６に記載の装置。
【請求項２８】
前記メモリは、
前記複数の特性を監視することと、
前記監視された特性に少なくとも部分的に基づいて前記ワイヤレス多元接続方式間で動的に切り換え続けることと、
を行うように前記プロセッサによって実行可能な命令をさらに備える、請求項２７に記載の装置。
【請求項２９】
前記メモリは、
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
を行うように前記プロセッサによって実行可能な命令をさらに備える、請求項２６に記載の装置。
【請求項３０】
ワイヤレスデバイスにおけるワイヤレス通信のための非一時的なコンピュータ可読媒体であって、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
のためのコンピュータ実行可能なコードを記憶する、非一時的なコンピュータ可読媒体。
【発明の詳細な説明】
【優先権の主張】
【０００１】
[0001]  本特許出願は、本願の譲受人に譲渡された、２０１４年８月１２日出願の「Dynamic Switching Between Wireless Multiple Access Schemes」と題するＲｙｕらの米国特許出願第１４／４５７，７４８号の優先権を主張する。
【技術分野】
【０００２】
[0002]  以下は、一般にワイヤレス通信に関し、より詳細にはワイヤレス多元接続方式間の動的な切換えに関する。
【背景技術】
【０００３】
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって多数のユーザとの通信をサポートすることが可能な多元接続方式でありうる。このような多元接続方式の例は、符号分割多元接続（ＣＤＭＡ）システム、時分割多元接続（ＴＤＭＡ）システム、周波数分割多元接続（ＦＤＭＡ）システム（シングルキャリアＦＤＭＡ（ＳＣ−ＦＤＭＡ）を含む）、および直交周波数分割多元接続（ＯＦＤＭＡ）システムを含む。
【０００４】
[0004]  各多元接続方式は、特定の多元接続方式がどの環境において使用されるべきかを決定するために使用され得る、ある特定の特性を有する。例えば、比較的小さい伝送帯域幅を有する一部のワイヤレス通信システムでは、ＯＦＤＭＡが、その比較的高いスループットと、送信された単一の元の信号の反射および屈折に対応する観察されるエコーなど、劣悪なチャネル条件に対する耐性ゆえに、基地局からモバイルデバイスへのダウンリンク伝送に使用される。しかしながら、モバイルデバイスから基地局への対応するアップリンク伝送には、ＳＣ−ＦＤＭＡが、その比較的低いピーク対平均電力比（ＰＡＰＲ）特性ゆえに使用され得る。特定のリンクのために使用される多元接続方式のタイプは、通常、これらのシステムについて固定されており、動作中に変化しない。
【発明の概要】
【０００５】
[0005]  記載される特徴は、一般に、ワイヤレス通信においてワイヤレス多元接続方式間で動的に切り換える、１つまたは複数の改善されたシステム、方法、および／または装置に関する。送信機および／または受信機は、ワイヤレス通信チャネルに対応する１つまたは複数の特性を識別し得、識別された特性に基づいて２つ以上の異なるワイヤレス多元接続方式（ＳＣ−ＦＤＭＡやＯＦＤＭＡなど）の間で動的に切り換えることができる。いくつかのケースでは、特性は、いくつかの異なる送信／受信ビームフォーミング方向対（transmit/receive beam forming direction pairs）について識別されることができ、ワイヤレス多元接続方式の選択は、通信のために選択された送信／受信ビームフォーミング方向対に対応する特性に依存し得る。各送信／受信ビームフォーミング方向対について識別される特性は、チャネル品質測定値、ビーム幅などのうちの１つまたは複数を含み得る。
【０００６】
[0006]  ワイヤレス通信のための方法であって、該方法が、ワイヤレス通信チャネルの送信／受信ビームフォーミング方向対の数のそれぞれに対応するある数の特性を識別することと、識別された特性に少なくとも部分的に基づいてワイヤレス通信チャネルにおける通信に使用するためにワイヤレス多元接続方式間で動的に切り換えることとを含み、該ワイヤレス多元接続方式が、直交周波数分割多元接続（ＯＦＤＭＡ）とシングルキャリア周波数分割多元接続（ＳＣ−ＦＤＭＡ）とを含む、方法について記載する。
【０００７】
[0007]  ワイヤレス通信のための装置であって、該方法が、ワイヤレス通信チャネルの送信／受信ビームフォーミング方向対の数のそれぞれに対応するある数の特性を識別するための手段と、識別された特性に少なくとも部分的に基づいてワイヤレス通信チャネルにおける通信に使用するためにワイヤレス多元接続方式間で動的に切り換えるための手段とを含み、該ワイヤレス多元接続方式が、直交周波数分割多元接続（ＯＦＤＭＡ）とシングルキャリア周波数分割多元接続（ＳＣ−ＦＤＭＡ）とを含む、装置について記載する。
【０００８】
[0008]  また、ワイヤレス通信のための別の装置であって、プロセッサと、プロセッサと電子通信するメモリと、メモリに記憶された命令とを含む、装置について記載する。命令は、ワイヤレス通信チャネルの送信／受信ビームフォーミング方向対の数のそれぞれに対応するある数の特性を識別することと、識別された特性に少なくとも部分的に基づいてワイヤレス通信チャネルにおける通信に使用するためにワイヤレス多元接続方式間で動的に切り換えることとを行うようにプロセッサによって実行可能であり、該ワイヤレス多元接続方式が、直交周波数分割多元接続（ＯＦＤＭＡ）とシングルキャリア周波数分割多元接続（ＳＣ−ＦＤＭＡ）とを含む。
【０００９】
[0009]  ワイヤレスデバイスにおけるワイヤレス通信のための非一時的なコンピュータ可読媒体について記載する。非一時的なコンピュータ可読媒体は、ワイヤレス通信チャネルの送信／受信ビームフォーミング方向対の数のそれぞれに対応するある数の特性を識別することと、識別された特性に少なくとも部分的に基づいてワイヤレス通信チャネルにおける通信に使用するためにワイヤレス多元接続方式間で動的に切り換えることとのためのコンピュータ実行可能コードを記憶しており、該ワイヤレス多元接続方式が、直交周波数分割多元接続（ＯＦＤＭＡ）とシングルキャリア周波数分割多元接続（ＳＣ−ＦＤＭＡ）とを含む。
【００１０】
[0010]  方法、装置、および／またはコンピュータ可読媒体のいくつかの例では、どのワイヤレス多元接続方式を使用すべきかは、通信のために選択された送信／受信ビームフォーミング方向対のうちの１つの送信／受信ビームフォーミング方向対に対応するそれぞれの特性に少なくとも部分的に基づいて決定され得る。各特性はそれぞれ、送信または受信ビーム幅を含み、それぞれのチャネル品質決定信号が、どのワイヤレス多元接続方式を通信のために使用すべきかを決定するために、様々な送信および／または受信ビーム幅を使用して送信／受信ビームフォーミング方向対のうちの１つまたは複数について送信され得る。いくつかの例では、通信のためにＯＦＤＭＡを使用すべきかまたはＳＣ−ＦＤＭＡを使用すべきかは、１つの送信／受信ビームフォーミング方向対に対応する特性が所定のしきい値よりも大きいかまたは小さいかに少なくとも部分的に基づいて決定され得る。
【００１１】
[0011]  いくつかの例では、チャネル品質決定信号が、送信／受信ビームフォーミング方向対のそれぞれ１つごとに送信され得、送信／受信ビームフォーミング方向対の少なくともいくつかに対応するそれぞれのチャネル品質測定値が受信され得、通信にＯＦＤＭＡを使用すべきかまたはＳＣ−ＦＤＭＡを使用すべきかは、受信されたチャネル品質測定値に少なくとも部分的に基づいて決定され得る。チャネル品質決定信号は、いくつかの異なる周波数を使用して同時発生的に（contemporaneously）、または類似の周波数を使用して異なる時点において、送信され得る。チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数であり得る。いくつかの例では、通信のためにＯＦＤＭＡが使用されるかまたはＳＣ−ＦＤＭＡが使用されるかのインジケーションが送信され得る。また、いくつかの例では、特性が監視されることができ、使用されるワイヤレス多元接続方式は、監視された特性に少なくとも部分的に基づいて動的に切り換えられ続けることができる。
【００１２】
[0012]  いくつかの例では、送信／受信ビームフォーミング方向対のうちの１つまたは複数に対応する１つまたは複数のチャネル品質決定信号が受信され、送信／受信ビームフォーミング方向対のうちの１つまたは複数の各々に対応するチャネル品質測定値が決定され、ここで、チャネル品質測定値はそれぞれのチャネル品質決定信号に少なくとも部分的に基づく。決定されたチャネル品質測定値は、さらに送信され得る。また、ワイヤレス通信チャネルにおける通信のためにＯＦＤＭＡを使用すべきかまたはＳＣ−ＦＤＭＡを使用すべきかの決定は、決定されたチャネル品質測定値に少なくとも部分的に基づき得る。
【００１３】
[0013]  いくつかの例では、チャネル品質決定信号が、送信／受信ビームフォーミング方向対の各々について送信され、ワイヤレス通信チャネルの特性が受信され、ここで、特性の各々は、送信されたチャネル品質決定信号に少なくとも部分的に基づくそれぞれのチャネル品質測定値を含んでおり、そして、受信された特性に少なくとも部分的に基づいて、通信のためにＯＦＤＭＡを使用すべきかまたはＳＣ−ＦＤＭＡを使用すべきかの決定がなされ得る。いくつかの例では、ワイヤレス通信チャネルは、ミリ波波長無線周波数チャネルであり得る。また、送信機は、特性を受信し、ワイヤレス通信チャネルにおける通信のためにＯＦＤＭＡを使用すべきかまたはＳＣ−ＦＤＭＡを使用すべきかを決定し得る。また、いくつかの例では、送信／受信ビームフォーミング方向対の各々は、ビームフォーミングされた信号が送信機から伝搬する送信機の向きに対する送信ビームフォーミング方向（transmit beam forming direction）を含み、そしてまた、ビームフォーミングされた信号が受信される受信機の向きに対する受信ビームフォーミング方向（receive beam forming direction）を含む。
【００１４】
[0014]  記載される方法および装置の適用可能性のさらなる範囲が、以下の詳細な説明、特許請求の範囲、および図面から明らかになるだろう。詳細な説明および具体例は、本明細書の趣旨および範囲内で様々な変更および修正が当業者には明らかであるので、単に例示のために与えるものに過ぎない。
【００１５】
[0015]  本発明の性質および利点のさらなる理解が、以下の図面を参照することによって実現されうる。添付された図において、同様のコンポーネントまたは特徴は、同じ参照ラベルを有しうる。さらに、同じタイプの様々なコンポーネントは、参照ラベルに、ダッシュと、同様のコンポーネント間を区別する第２のラベルとを後続させることによって区別されうる。本明細書中で第１の参照ラベルのみが使用される場合、その説明は、第２の参照ラベルに関係なく同じ第１の参照ラベルを有する同様のコンポーネントのいずれか１つに適用可能である。
【図面の簡単な説明】
【００１６】
【図１】[0016]  図１は、本開示の諸態様によるワイヤレス通信システムのブロック図を示す。
【図２】[0017]  図２は、本開示の諸態様によるワイヤレス多元接続方式間での動的な切換えのための装置のブロック図を示す。
【図３】[0018]  図３は、本開示の諸態様によるワイヤレス多元接続方式間での動的な切換えのための装置のブロック図を示す。
【図４】[0019]  図４は、本開示の諸態様によるワイヤレス多元接続方式間での動的な切換えのための装置のブロック図を示す。
【図５】[0020]  図５は、本開示の諸態様によるワイヤレス多元接続方式間での動的な切換えのためのシステムのブロック図を示す。
【図６】[0021]  図６は、本開示の諸態様によるワイヤレス多元接続方式間での動的な切換えのためのシステムのブロック図を示す。
【図７】[0022]  図７は、本開示の諸態様によるワイヤレス多元接続方式間での動的な切換えのための基地局を示す。
【図８】[0023]  図８は、本開示の諸態様によるワイヤレス多元接続方式間での動的な切換えのためのユーザ機器（ＵＥ）を示す。
【図９】[0024]  図９は、本開示の諸態様によるワイヤレス多元接続方式間での動的な切換えを示すタイミング図である。
【図１０】[0025]  図１０は、本開示の諸態様によるワイヤレス多元接続方式間で動的に切り換えるための方法のフローチャートである。
【図１１】[0026]  図１１は、本開示の諸態様によるワイヤレス多元接続方式間で動的に切り換えるための方法のフローチャートである。
【図１２】[0027]  図１２は、本開示の諸態様によるワイヤレス多元接続方式間で動的に切り換えるための方法のフローチャートである。
【詳細な説明】
【００１７】
[0028]  ワイヤレス多元接続方式間で動的に切り換えるための１つまたは複数の改善されたシステム、方法、および／または装置に一般的に関係する特徴について説明する。以下でより詳細に説明するように、送信機および／または受信機は、ワイヤレス通信チャネルに対応する１つまたは複数の特性を識別し、識別された特性に基づいて２つ以上の異なるワイヤレス多元接続方式（ＳＣ−ＦＤＭＡやＯＦＤＭＡなど）の間で動的に切り換えることができる。いくつかのケースでは、特性は、いくつかの異なる送信／受信ビームフォーミング方向対について識別され、ワイヤレス多元接続方式の選択は、通信のために選択された送信／受信ビームフォーミング方向対に対応する特性に依存し得る。各送信／受信ビームフォーミング方向対について識別される特性は、チャネル品質測定値やビーム幅などのうちの１つまたは複数を含み得る。
【００１８】
[0029]  したがって、以下の説明は、例を提供するものであり、特許請求の範囲に記載された範囲、適用可能性、または構成を限定するものではない。本開示の趣旨および範囲から逸脱することなく、ここに記載された機能および要素の配置に変更を加えることができる。様々な実施形態が、適宜、様々な手順または構成要素を省略し、置換し、または追加することができる。例えば、記載された方法は、記載されたものとは異なる順序で実施されることができ、様々なステップが追加され、省略され、または組み合わされ得る。また、特定の実施形態に関して記載された特徴は、他の実施形態と組み合わされ得る。
【００１９】
[0030]  図１は、様々な実施形態による、ワイヤレス多元接続方式間での動的な切換えのためのシステム１００の一例である。システム１００は、基地局１０５、ユーザ機器（ＵＥ）デバイス１１５などの通信デバイス、およびコアネットワーク１３０を含む。基地局１０５は、様々な実施形態においてコアネットワーク１３０または基地局１０５の一部であり得る、基地局コントローラ（図示せず）の制御下でＵＥ１１５と通信し得る。基地局１０５は、バックホールリンク１３２を通じてコアネットワーク１３０と制御情報および／またはユーザデータを通信し得る。いくつかの実施形態では、基地局１０５は、直接的あるいは間接的に、ワイヤードまたはワイヤレス通信リンクであり得るバックホールリンク１３４を通じて互いに通信し得る。システム１００は、マルチプルなキャリア（異なった周波数の波形信号）上の動作をサポートし得る。ワイヤレス通信リンク１２５は、様々な無線技術にしたがって変調され得る。変調された各信号は、制御情報（例えば、基準信号、制御チャネルなど）、オーバーヘッド情報、データ、などを搬送し得る。一実施形態では、基地局１０５および／またはＵＥ１１５は、受信機、切換えモジュール、および送信機を含むことができ、これらについては以下でより詳細に説明する。
【００２０】
[0031]  基地局１０５は、１つまたは複数の基地局アンテナを介してＵＥ１１５とワイヤレスに通信し得る。基地局１０５のサイトの各々は、それぞれの地理的エリア１１０に通信カバレッジを提供し得る。いくつかの実施形態では、基地局１０５は、ベーストランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、または他の何らかの適切な用語で呼ばれうる。基地局１０５に関するカバレッジエリア１１０は、カバレッジエリアの一部分のみを構成するセクタへと分割されうる。システム１００は、異なるタイプの基地局１０５（例えば、マクロ、マイクロ、および／またはピコ基地局）を含むことができる。異なる技術に関してオーバーラップしているカバレッジエリアが存在し得る。
【００２１】
[0032]  システム１００は、異なるタイプのｅＮＢが様々な地理的領域にカバレッジを提供する、異種ロングタームエボリューション（ＬＴＥ（登録商標））／ＬＴＥ−Ａネットワークでありうる。例えば、各基地局１０５は、マクロセル、ピコセル、フェムトセル、および／または他のタイプのセルに通信カバレッジを提供し得る。マクロセルは一般に、比較的大きい地理的エリア（例えば、半径数キロメートル）をカバーし、ネットワークプロバイダとのサービスに加入しているデバイスによる無制限のアクセスを可能にしうる。ピコセルは一般に、比較的小さい地理的エリアをカバーし、ネットワークプロバイダとのサービスに加入しているデバイスによる無制限のアクセスを可能にしうる。フェムトセルはまた一般に、比較的小さい地理的エリア（例えば家庭）をカバーし、そしてまた、無制限アクセスに加えて、フェムトセルとの関連付けを有するデバイスによる制限付きアクセスを提供し得る。
【００２２】
[0033]  いくつかの実施形態では、システム１００は、異なる基地局１０５が異なるワイヤレス通信技術を使用し得る、および／または単一の基地局１０５が異なる複数のワイヤレス通信技術を使用し得るという点で、異種（heterogeneous）であり得る。例えば、１つまたは複数の基地局１０５がＬＴＥ技術を使用し得、一方、他の基地局は８０２．１１ｎ  Ｗｉ−Ｆｉ技術を使用し得る。
【００２３】
[0034]  コアネットワーク１３０は、バックホールリンク１３２（例えば、Ｓ１等）を介して基地局１０５と通信することができる。基地局１０５はまた、例えば、バックホールリンク１３４（例えば、Ｘ２等）を介して、および／またはバックホールリンク１３２を介して（例えば、コアネットワーク１３０を通じて）、直接的にまたは間接的に、互いに通信することができる。システム１００は、同期または非同期動作をサポートすることができる。同期動作では、基地局は、類似のフレームタイミングを有し得、異なる基地局からの送信が時間的にほぼアライメントされうる。非同期動作では、基地局は、異なるフレームタイミングを有し得、異なる基地局からの送信が時間的にアライメントされないことがある。本明細書で説明される技法は、同期または非同期動作のいずれかに対して使用されうる。
【００２４】
[0035]  ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、等でありうる。
【００２５】
[0036]  システム１００内に示されたワイヤレス通信リンク１２５は、ＵＥ１１５から基地局１０５へのアップリンク（ＵＬ）送信を含み得、ここにおいて、ＵＥ１１５は送信機の役割を果たし、基地局１０５は受信機の役割を果たす。ワイヤレス通信リンク１２５は、また、基地局１０５からＵＥ１１５へのダウンリンク（ＤＬ）送信を含み得、ここにおいて、基地局は送信機の役割を果たし、ＵＥは受信機の役割を果たす。よって、基地局１０５およびＵＥ１１５の両方が、データ送信の方向に応じて、送信機および受信機の両方の役割を果たすことができる。ＤＬ伝送は、順方向リンク伝送と呼ばれることがあり、一方、ＵＬ伝送は、逆方向リンク伝送と呼ばれることがあり、ここで、ＤＬおよびＵＬ伝送は、各々、ワイヤレス通信チャネルにおけるワイヤレス通信の一例である。
【００２６】
[0037]  異なる無線周波数（ＲＦ）帯が図１のシステム１００において使用され得、それらの各々が他のワイヤレス技術よりもＵＬおよび／またはＤＬ伝送により良く適した１つのタイプのワイヤレス技術を用いる、特定の特性を有し得る。例えば、ミリ波波長ＲＦ帯（２０〜３００ＧＨｚであり得る）は、他のＲＦ帯と比較して、比較的高い経路損失および比較的短いレンジを有し得る。これらのミリ波波長ＲＦチャネルにおける経路損失および短いレンジを補償するために、ＵＬおよび／またはＤＬ伝送のためにビームフォーミング技術が使用されることができ、これによって、送信機は、アンテナアレイを使用して、送信機の向き（transmitter orientation）に対して１つまたは複数の特定の空間方向においてＲＦ信号を送信する。送信ビームフォーミング技術は、ＲＦ信号がエネルギーのナロービームを形成することを可能にし、ＲＦ信号がそれらの方向でさらに遠くに伝搬することを可能にする。同様に、ビームフォーミングは、受信機の向きに対して１つまたは複数の特定の受信空間方向において弱い信号を集めるために受信機において使用される。送信および受信ビームフォーミング技術は、二乗平均平方根（ＲＭＳ）遅延拡散を低減する、観察される「エコー」の数を低減する、などし得る。これらのビームフォーミング技術を使用すると、例えばミリ波波長スペクトルにおける、見通し外（ＮＬＯＳ：non-line of sight）ＲＦ通信は、ＵＥ１１５に到達するためにビームの反射および／または回折に依存し得る。ＵＥ１１５の移動または環境変化のいずれかが原因で、方向が遮られた場合、ビームは、ＵＥ１１５に到達することができなくなる場合がある。いくつかの実施形態では、マルチプルな異なる方向におけるマルチプルなビームが、可能な限り良好なカバレッジを提供するために利用可能となり得る。
【００２７】
[0038]  図１に示されるように、基地局１０５−ａがビームフォーミングを使用して特定のＵＥ１１５−ａにデータを送信している場合には、基地局送信機は、ＵＥ１１５−ａとの通信（例えば、送信および／または受信）のために１つまたは複数の異なるビーム１４０を利用し得る。各ビーム１４０は、送信ビームフォーミング方向および受信ビームフォーミング方向を含み得る、送信／受信ビームフォーミング方向対に関連づけられ得る。いくつかの場合には、通信のために使用すべき送信／受信ビームフォーミング方向対は、マルチプルな異なる送信／受信ビームフォーミング方向対（および所望により異なるビーム幅）が、送信機から受信機への間の通信に関する適合性について評価される、ビーム探索（beam search）を使用して決定され得る。ワイヤレス通信チャネルの各候補ビーム１４０は、送信ビームフォーミング方向、受信ビームフォーミング方向、ビーム幅、チャネル品質測定値（例えば、信号強度、信号対干渉雑音比（ＳＩＮＲ）、パケット誤り率、遅延拡散、観察されるエコーの数等）など、１つまたは複数の対応する特性を有し得る。いくつかの実施形態では、候補ビーム１４０の数それぞれに対応するある数の特性、ならびにそれらの関連する送信および受信ビームフォーミング方向が識別され、送信機および受信機は、識別された特性に少なくとも部分的に基づいてワイヤレス通信チャネルにおける通信のために使用すべきワイヤレス接続方式（例えば、ＳＣ−ＦＤＭＡ、ＯＦＤＭＡ、など）の間で動的に切り換えることができる。特性は、ビーム探索中に、あるいはビーム探索とは別個に、識別され得る。
【００２８】
[0039]  ワイヤレス多元接続方式は、ある特定の通信または通信のセットについて選択された送信／受信ビームフォーミング方向対に対応するそれぞれの特性に少なくとも部分的に基づいて決定され得る。いくつかの実施形態では、どのワイヤレス多元接続方式を使用すべきかの決定は、選択された送信／受信ビームフォーミング方向対に対応する特性が所定のしきい値よりも大きいかまたは小さいかに少なくとも部分的に基づき得る。例えば、特性が送信ビーム幅（または受信ビーム幅、あるいは送信および受信ビーム幅の両方）である場合には、その（それらの）ビームが所定のしきい値幅よりも小さい場合、１つのワイヤレス多元接続方式（例えば、ＳＣ−ＦＤＭＡ）が使用され、一方、その（それらの）ビームが所定のしきい値幅よりも大きい場合、別のワイヤレス多元接続方式（例えば、ＯＦＤＭＡ）が使用され得る。他の例として、特性がチャネル品質である場合には、そのチャネル品質が所定のしきい値よりも高い場合、１つのワイヤレス多元接続方式（例えば、ＳＣ−ＦＤＭＡ）が使用され、チャネル品質が所定のしきい値よりも低い場合、別の多元接続方式（例えば、ＯＦＤＭＡ）が使用され得る。いくつかの実施形態では、２つまたはそれ以上の特性の組合せが、どのワイヤレス多元接続方式が特定の通信に使用されるかを決定するために使用され得る。
【００２９】
[0040]  どのワイヤレス多元接続方式を使用すべきかの決定は、利用可能なワイヤレス多元接続方式のタイプおよびチャネルの特性の両方に基づき得る。例えば、ＳＣ−ＦＤＭＡは、比較的低いピーク対平均電力比（ＰＡＰＲ）を有し得、一般に、より高い電力効率を達成するためには、より高いＰＡＰＲを有するＯＦＤＭＡよりも好ましい場合がある。ミリ波波長ＲＦ帯におけるように、通信帯域幅が比較的大きいときには、ＳＣ−ＦＤＭＡとＯＦＤＭＡとの間のＰＡＰＲ差は特に大きくなり得る。他方、ＯＦＤＭＡは、（１つまたは複数の）ビームが十分にワイドであり、および／またはチャネル品質が十分に低い場合、ＯＦＤＭＡが非線形ひずみを補償し、より大きなＲＭＳ遅延拡散および／またはより多数のエコーに対処することが可能であり得るので、その高いＰＡＰＲコストにもかかわらず使用され得る。よって、一実施形態では、（１つまたは複数の）ビーム幅が所定のしきい値よりも小さく、および／またはチャネル品質が選択されたビームについての所定のしきい値よりも良好である場合、ＳＣ−ＦＤＭＡが使用され得、一方、（１つまたは複数の）ビーム幅が所定のしきい値よりも大きく、および／またはチャネル品質が所定のしきい値よりも悪い場合、ＯＦＤＭＡが使用され得る。
【００３０】
[0041]  図２は、様々な実施形態による、図１のシステム１００におけるワイヤレス通信で使用するための装置２０５のブロック図２００を示す。装置２０５は、図１のシステム１００内の基地局１０５またはＵＥ１１５であり得、図１を参照して前述した動作を実施するように構成され得る。図２に示される装置２０５は、受信機モジュール２１０、切換えモジュール２１５、および送信機モジュール２２０を含む。装置２０５はまたプロセッサを含み得る。これらのコンポーネントの各々は、互いと通信状態にありうる。
【００３１】
[0042]  装置２０５のコンポーネントは、個々にまたは集合的に、ハードウェアにおいて適用可能な機能の一部またはすべてを実施するように適合された１つまたは複数の特定用途向け集積回路（ＡＳＩＣ）により実装されうる。代替として、機能は、１つまたは複数の集積回路上で、１つまたは複数の他の処理ユニット（あるいはコア）によって実施されうる。他の実施形態において、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得、これらは、当該技術分野において知られている任意のやり方でプログラムされ得る。各ユニットの機能はまた、全体的にまたは部分的に、１つまたは複数の汎用または特定用途向けプロセッサによって実行されるようにフォーマットされた、メモリに組み込まれた命令によりインプリメントされ得る。
【００３２】
[0043]  受信機モジュール２１０は、様々な情報チャネル（例えば、制御チャネル、データチャネル等）に関連付けられた、パケット、ユーザデータ、および／または制御情報などの情報を受信し得る。受信された情報は、切換えモジュール２１５に、そして装置２０５の他のコンポーネントに渡されうる。装置２０５が基地局１０５である場合、受信機モジュール２１０は、図１のコアネットワーク１３０から情報を受信し、それがＵＥ１１５に送信されることになる。あるいは、装置２０５がＵＥ１１５である場合、受信機モジュール２１０は、ユーザから情報を受信し、それが、基地局１０５に、そして最終的にはコアネットワーク１３０に送信されることになる。
【００３３】
[0044]  送信機モジュール２２０は、装置２０５の他のコンポーネントから受信された１つまたは複数の信号を送信し得る。いくつかの実施形態では、送信機モジュール２２０は、トランシーバモジュールにおいて受信機モジュールと２１０とコロケート（collocated）されうる。装置２０５が基地局１０５である場合、送信機モジュール２２０は、図１のコアネットワーク１３０から受信された情報をＵＥ１１５に送信し得る。あるいは、装置２０５がＵＥ１１５である場合、送信機モジュール２２０は、ユーザから受信された情報を基地局１０５に送信し、次には基地局１０５がそのデータをコアネットワーク１３０に送信し得る。
【００３４】
[0045]  切換えモジュール２１５は、図２の装置２０５の送信機モジュール２２０と異なる装置の受信機モジュールとの間、または異なる装置の送信機モジュールと図２の装置２０５の受信機モジュール２１０との間のいずれかで、ワイヤレス通信チャネルについてそれぞれの送信および受信ビームフォーミング方向を各々が備える、ある数の候補ビーム１４０に対応する、ある数の特性を識別するように構成され得る。いくつかの実施形態では、切換えモジュール２１５は、装置２０５の別のコンポーネントからまたは装置２０５の外部から特性を受信することによって特性を識別し得、一方、他の実施形態では、切換えモジュール２１５は、それ自体の特性を測定またはコンピューティングすることによって特性を識別し得る。どちらの場合も、切換えモジュール２１５は、また、識別された特性に少なくとも部分的に基づいてワイヤレス通信チャネルにおける通信のために使用すべきワイヤレス多元接続方式（例えば、ＳＣ−ＦＤＭＡおよびＯＦＤＭＡ）間で動的に切り換えるように構成され得る。
【００３５】
[0046]  ワイヤレス通信チャネルにおける所与の通信に関し、いくつかの実施形態では、切換えモジュール２１５の機能は、送信機（例えば、基地局１０５またはＵＥ１１５）内に置かれた単一の切換えモジュール２１５によって、あるいは受信機（例えば、ＵＥ１１５または基地局１０５）内に置かれた単一の切換えモジュール２１５によって、あるいは、送信機および受信機の両方の中に置かれた切換えモジュール２１５の組合せによって、実施され得る。一例として、基地局１０５などの送信機は、特性を識別し、識別された特性に少なくとも部分的に基づいてワイヤレス通信チャネルにおける通信のためにＯＦＤＭＡを使用すべきかまたはＳＣ−ＦＤＭＡを使用すべきかを決定し得る。この例では、送信機は、前述したビーム探索に基づいて送信および／または受信ビーム幅を識別することができ、および／または意図された受信機から受信されたチャネル品質測定値に基づいてチャネル品質特性を識別することもでき、これについては以下でより詳細に説明する。別の例として、ＵＥ１１５などの受信機は、特性を識別し、識別された特性に少なくとも部分的に基づいてＯＦＤＭＡを使用すべきかまたはＳＣ−ＦＤＭＡを使用すべきかを決定し得る。この例では、受信機は、送信機から受信された情報に基づいて送信および／または受信ビーム幅を識別し得、および／または送信機から受信されたチャネル品質決定信号に基づいてチャネル品質特性を識別し得、これについては以下でより詳細に説明する。いずれの例においても、どのワイヤレス多元接続方式が使用されるかを決定するエンティティ（例えば、送信機または受信機）は、その決定および／または決定するために使用されたデータを、他のエンティティに通信し得る。
【００３６】
[0047]  図１に示されたシステム１００に戻って参照すると、ＵＬおよびＤＬ通信の両方が企図されているが、すなわち、システム１００は双方向通信システムであるが、いくつかの実施形態では、切換えモジュール２１５の機能は、ＵＬまたはＤＬ通信のうちの一方のみについて実施されるのみであり得ることが理解されよう。より詳細には、いくつかの実施形態では、通信に使用されたワイヤレス多元接続方式が、前述したように、ＵＬまたはＤＬ通信のいずれか一方について動的に変化し得るが、他方のタイプの通信に使用されるワイヤレス多元接続方式は、動的に変化せず、むしろ永久的または半永久的に固定であり得る。しかしながら、他の実施形態では、ＵＬおよびＤＬ通信の両方について使用されるワイヤレス多元接続方式が、本明細書で説明されたように動的に変化し得る。
【００３７】
[0048]  図３は、様々な実施形態による図１のシステム１００においてワイヤレス通信で使用するための装置２０５−ａのブロック図３００を示す。図３の装置２０５−ａは、例えば、図１に示した基地局１０５またはＵＥ１１５のうちの１つであり得る。さらに、図３の装置２０５−ａは、図２を参照して説明した装置２０５の１つまたは複数の態様の一例であり得、図２を参照して前述した動作を実施するように構成され得る。図３に示された装置２０５−ａは、受信機モジュール２１０−ａ、切換えモジュール２１５−ａ、および送信機モジュール２２０−ａを含む。装置２０５−ａはまたプロセッサを含み得る。これらのコンポーネントの各々が互いに通信し得る。
【００３８】
[0049]  図３に示されるように、受信機モジュール２１０−ａは、チャネル品質信号測定モジュール３０５を含み得、および／または送信機モジュール２２０−ａは、チャネル品質信号生成モジュールを含み得る。さらに、図３の切換えモジュール２１５−ａは、チャネル特性モジュール３１０、選択モジュール３１５、および監視モジュール３２０のうちの１つまたは複数を含み得る。図３の受信機モジュール２１０−ａは、図２の受信機モジュール２１０の１つまたは複数の態様の一例であり得、図３の切換えモジュール２１５−ａは、図２の切換えモジュール２１５の１つまたは複数の態様の一例であり得、および／または図３の送信機モジュール２２０−ａは、図２の送信機モジュール２２０の１つまたは複数の態様の一例であり得る。
【００３９】
[0050]  装置２０５−ａのコンポーネントは、個々にまたは集合的に、ハードウェアにおいて適用可能な機能の一部またはすべてを実施するように適合された１つまたは複数の特定用途向け集積回路（ＡＳＩＣ）により実装されうる。代替として、機能は、１つまたは複数の集積回路上で、１つまたは複数の他の処理ユニット（あるいはコア）によって実施されうる。他の実施形態において、他のタイプの集積回路（例えば、ストラクチャード（structured）／プラットフォームＡＳＩＣ、フィールドプログラマブルゲートアレイ（ＦＰＧＡ）、および他のセミカスタムＩＣ）が使用され得、これらは、当該技術分野において知られている任意のやり方でプログラムされ得る。各ユニットの機能はまた、全体的にまたは部分的に、１つまたは複数の汎用または特定用途向けプロセッサによって実行されるようにフォーマットされた、メモリに組み込まれた命令によりインプリメントされ得る。
【００４０】
[0051]  チャネル品質信号測定モジュール３０５は、１つまたは複数の送信／受信ビームフォーミング方向対（各送信／受信ビームフォーミング方向対が候補ビーム４０に関連づけられる）に対応する１つまたは複数のチャネル品質決定信号を受信し、１つまたは複数の送信／受信ビームフォーミング方向対の各々に対応するチャネル品質測定値を決定するように構成され得、ここで、チャネル品質測定値はそれぞれのチャネル品質決定信号に少なくとも部分的に基づく。チャネル品質測定は、例えば、周波数領域におけるチャネル利得の推定などであり得る。いくつかの実施形態では、チャネル品質測定は、ゼロフォーシングまたは最小平均二乗誤差（ＭＭＳＥ）等化が使用されると仮定し得る。チャネル品質信号測定モジュール３０５は、受信機モジュール２１０−ａ（以下でより詳細に説明する）にデータを送信しているであろう送信機のチャネル品質信号生成モジュール３２５によって送信されたチャネル品質決定信号を受信し得る。ゆえに、いくつかの場合には、チャネル品質信号測定モジュール３０５は、ワイヤレス多元接続方式が動的に変化し得る通信を受信する装置のための受信機モジュール２１０にのみ含まれる。
【００４１】
[0052]  チャネル品質測定値は、信号強度、信号対干渉雑音比（ＳＩＮＲ）、パケット誤り率、遅延拡散、受信機において観察されるエコーの数などのうちの１つまたは複数を含み得る。
【００４２】
[0053]  いくつかの実施形態では、チャネル品質信号測定モジュール３０５は、例えば、送信機内の受信機モジュール２１０に（例えば送信機モジュール２２０−ａを介して）決定されたチャネル品質測定値を送信し得る。いくつかの実施形態では、決定されたチャネル品質測定値のすべてが送信されるが、他の実施形態では、最良の送信／受信ビームフォーミング方向対およびビーム幅である可能性が高いものに対応するものなど、決定されたチャネル品質測定値のサブセットのみが送信される。
【００４３】
[0054]  さらに図３を参照すると、チャネル品質信号生成モジュール３２５は、オプションにより各方向について１つまたは複数の異なるビーム幅を使用して、１つまたは複数の受信機に対し、ある数の送信ビームフォーミング方向において、１つまたは複数のチャネル品質決定信号を形成し（formulate）、送信するように構成され得る。チャネル品質決定信号は、例えば、ＯＦＤＭパイロットトーンの既知のシーケンスを含み得る。これらのチャネル品質決定信号は、対応する受信機のチャネル品質信号測定モジュール３０５によって受信され得、送信／受信ビームフォーミング方向対に対応するそれぞれのチャネル品質測定値を生成するために使用され得、次にはそれが、ワイヤレス通信チャネルにおける通信にどのワイヤレス多元接続方式が使用されるかを決定するために使用され得る。いくつかの場合には、チャネル品質信号生成モジュール３２５は、通信のために使用されるワイヤレス多元接続方式を動的に変化させることのできる装置のための送信機モジュール２２０にのみ含まれる。
【００４４】
[0055]  一実施形態では、チャネル品質信号生成モジュール３２５は、いくつかの異なる周波数を使用してマルチプルな送信ビームフォーミング方向においてチャネル品質決定信号を同時に送信し得るが、他の実施形態では、チャネル品質信号生成モジュール３２５は、同じ周波数を使用して異なる時点で異なる送信ビームフォーミング方向についてチャネル品質決定信号を送信し得る。また、いくつかの実施形態では、チャネル品質信号生成モジュール３２５は、変化する（varying）ビーム幅を使用して送信ビームフォーミング方向のうちの１つまたは複数においてチャネル品質決定信号を送信するように構成され得る。
【００４５】
[0056]  次に、切換えモジュール２１５−ａのコンポーネントを見ると、チャネル特性モジュール３１０は、送信および／または受信ビームフォーミング方向、ビーム幅、チャネル品質などを含む、通信において使用するためのマルチプルな候補ビーム１４０に関する特性を受信し、記憶し、および／または送信するように構成され得る。
【００４６】
[0057]  選択モジュール３１５は、送信／受信ビームフォーミング方向対に対応するそれぞれの特性に、そしてオプションにより通信のために選択されたビーム幅に、少なくとも部分的に基づいて、ＯＦＤＭＡもしくはＳＣ−ＦＤＭＡを使用すべきか、または他のワイヤレス多元接続方式を使用すべきかを決定するように構成され得る（動作中にＯＦＤＭＡもしくはＳＣ−ＦＤＭＡまたは他のワイヤレス多元接続方式の使用の間で動的に切り換えることを含む）。例えば、選択モジュール３１５は、チャネル品質信号測定モジュール３０５によって決定されたチャネル品質測定値を含む、チャネル品質測定値に少なくとも部分的に基づいて、ＯＦＤＭＡもしくはＳＣ−ＦＤＭＡを使用すべきか、または他のワイヤレス多元接続方式を使用すべきかを決定するように構成され得る。
【００４７】
[0058]  いくつかの実施形態では、所与の通信についての送信機は、選択モジュールを含み得、データがそれへと送信されるべき受信機のチャネル品質信号測定モジュール３０５によって送信機に送信されたチャネル品質測定値に少なくとも部分的に基づいて、ＯＦＤＭＡを使用すべきか、ＳＣ−ＦＤＭＡを使用すべきか、または別の方式を使用すべきかを決定し得る。他の実施形態では、受信機は、チャネル品質信号測定モジュール３０５と選択モジュール３１５との両方を含み、したがって、受信機は、チャネル品質測定値に少なくとも部分的に基づいて、ＯＦＤＭＡを使用すべきか、ＳＣ−ＦＤＭＡを使用すべきか、または別の方式を使用すべきかを決定し、その決定を送信機に送信し得る。さらに他の実施形態では、選択モジュール３１５は、ビーム幅特性に基づいて、またはビーム幅特性とチャネル品質測定値との組合せに基づいて、どのワイヤレス多元接続方式を通信のために使用すべきかを決定し得る。上述のように、選択モジュール３１５は、ワイヤレス通信チャネルにおける通信のためにどのワイヤレス多元接続方式が使用されるべきかを決定する際に、例えばチャネル品質および／または送信および／または受信ビーム幅に関係する、１つまたは複数のしきい値を使用し得る。
【００４８】
[0059]  選択モジュール３１５は、また、例えば、送信機モジュール２２０−ａを使用して図１のシステム１００のＵＥ１１５または基地局１０５に対して、通信のためにどのワイヤレス多元接続方式が使用されるかの決定を送信するように構成され得る。決定は、例えば、送信フレームに既知のプレフィックスを付加する、送信フレーム内に既知のビットを設定するなどによって、送信され得る。
【００４９】
[0060]  監視モジュール３２０は、１つまたは複数の送信／受信ビームフォーミング方向対に対応する１つまたは複数の特性（チャネル品質など）を監視し、監視された特性に少なくとも部分的に基づいてワイヤレス多元接続方式間で動的に切り換え続けることを容易にするために情報を選択モジュールに提供するように構成され得る。
【００５０】
[0061]  図４は、様々な実施形態による、図１のシステム１００におけるワイヤレス通信で使用するための切換えモジュール２１５−ｂのブロック図４００を示す。切換えモジュール２１５−ｂは、図２〜３を参照して説明した切換えモジュール２１５の１つまたは複数の態様の一例であり得、図２〜３を参照して前述した動作を実施するように構成され得る。図４に示された切換えモジュール２１５−ｂは、チャネル特性モジュール３１０−ａ、選択モジュール３１５−ａ、および監視モジュール３２０−ａを含み、これらは、図３に示された対応するモジュール３１０，３１５，３２０の１つまたは複数の態様の例であり得、図３を参照して前述した動作を実施するように構成され得る。
【００５１】
[0062]  図４における切換えモジュール２１５−ｂのコンポーネントは、個々にまたは集合的に、ハードウェアにおいて適用可能な機能の一部またはすべてを実施するように適合された１つまたは複数の特定用途向け集積回路（ＡＳＩＣ）により実装され得る。代替的に、機能は、１つまたは複数の集積回路上の、１つまたは複数の他の処理装置（またはコア）によって実施されることもできる。他の実施形態では、他のタイプの集積回路（例えば、ストラクチャード／プラットフォームＡＳＩＣ、フィールドプログラマブルゲートアレイ（ＦＰＧＡ）、および他のセミカスタムＩＣ）が使用されることができ、これらは当該技術分野で知られている任意の方法でプログラムされ得る。各ユニットの機能はまた、全体的にまたは部分的に、１つまたは複数の汎用または特定用途向けプロセッサによって実行されるようにフォーマットされた、メモリに組み込まれた命令によりインプリメントされ得る。
【００５２】
[0063]  図４に示されるチャネル特性モジュール３１０−ａは、送信／受信ビームフォーミング方向サブモジュール４０５、ビーム幅サブモジュール４１０、およびチャネル品質サブモジュール４１５をさらに含む。送信／受信ビームフォーミング方向サブモジュール４０５は、（例えば、１つまたは複数の候補ビーム１４０の）１つまたは複数の送信／受信ビームフォーミング方向対に対応するビームフォーミング重みおよび／または方向を、受信し、決定し、記憶し、および／または送信するように構成され得る。ビーム幅サブモジュール４１０は、１つまたは複数の候補ビームおよび／または送信／受信ビームフォーミング方向に対応するビーム幅を、受信し、決定し、記憶し、および／または送信および／または受信するように構成され得る。チャネル品質サブモジュール４１５は、図３においてチャネル品質信号測定モジュール３０５によって受信されたチャネル品質決定信号に基づいてチャネル品質測定値を、受信し、決定し、記憶し、および／または送信するように構成され得る。上述のように、各候補ビームは、送信／受信ビームフォーミング方向対、送信および／または受信ビーム幅、および／またはチャネル品質測定値によって定義され、各候補ビームのこれらの特性に基づき得るものであり（どのビームが所与の通信のために選択されるかとともに）、通信のためにどのワイヤレス多元接続方式を使用すべきかに関する決定が切換えモジュール２１５−ｂによってなされ得る。その結果、サブモジュール４０５、４１０、４１５は、切換えモジュール（例えば、選択モジュール３１５−ａ）による決定において使用するためのこれらまたはそれぞれの特性を受信し、決定し、記憶し、および／または送信するように構成され得る。
【００５３】
[0064]  いくつかの実施形態では、チャネル特性モジュール３１０−ａは、送信／受信ビームフォーミング方向サブモジュール４０５、ビーム幅サブモジュール４１０、およびチャネル品質サブモジュール４１５の３つすべてを含み得るが、他の実施形態では、チャネル特性モジュール３１０−ａは、これらのサブモジュール４０５、４１０、４１５のうちの１つまたは２つのみを含み得る。また、いくつかの実施形態では、装置（例えば、図２または図３の装置２０５、２０５−ａ）がチャネル特性モジュールを含まないこともあり得る。
【００５４】
[0065]  図４に示された選択モジュール３１５−ａは、チャネル品質しきい値サブモジュール４２０、ビーム方向および幅選択サブモジュール４２５、および接続方式選択サブモジュール４３０を含む。チャネル品質しきい値サブモジュール４２０は、ＯＦＤＭＡもしくはＳＣ−ＦＤＭＡを使用すべきかまたは別のワイヤレス多元接続方式を使用すべきかの決定において使用され得る１つまたは複数のしきい値を受信し、決定し、記憶し、または送信するように構成され得、例えば、チャネル品質サブモジュール４１５によって受信され、決定され、記憶され、または送信されたチャネル品質特性がチャネル品質しきい値サブモジュール４２０によって受信され、決定され、記憶され、または送信されたしきい値よりも大きいまたは小さい場合に、特定のワイヤレス多元接続方式が使用されるまたは使用されないことができる。いくつかの実施形態では、しきい値は、プリセットされ、所与の通信のための送信機および受信機の各々によって知られているものであり得る。他の実施形態では、しきい値は、（例えば、利用可能なリソースに基づいて）動作中に動的に変化し得るしきい値を含めて、送信機および受信機の間で通信され得る。ビーム方向および幅選択サブモジュール４２５は、通信において使用されるビームの送信および受信ビームフォーミング方向および幅を受信し、決定（例えば選択）し、記憶し、または送信するように構成され得る。
【００５５】
[0066]  接続方式選択サブモジュール４３０は、特定の通信または通信のグループのためにどのワイヤレス多元接続方式が使用されるかのインジケーションを受信し、決定し、記憶し、または送信するように構成され得、例えば、接続方式選択サブモジュール４３０は、ビーム方向および幅選択サブモジュール４２５によって受信され、決定され、記憶され、または送信された送信／受信ビームフォーミング方向およびビーム幅、ならびにチャネル品質しきい値サブモジュールによって受信され、決定され、記憶され、または送信されたしきい値によって知らされた、チャネル特性モジュール３１０のサブモジュール４０５、４１０、４１５によって受信され、決定され、記憶され、または送信された送信／受信ビームフォーミング方向、ビーム幅、およびチャネル品質特性に基づいて、どのワイヤレス多元接続方式を使用すべきかを決定するように構成され得る。
【００５６】
[0067]  いくつかの実施形態では、選択モジュール３１５−ａは、チャネル品質しきい値サブモジュール４２０、ビーム方向および幅選択サブモジュール４２５、および接続方式選択サブモジュール４３０の３つすべてを含み得るが、他の実施形態では、選択モジュール３１５−ａは、これらのサブモジュール４２０、４２５、４３０のうちの１つまたは２つのみを含み得る。また、いくつかの実施形態では、装置（例えば、図２または図３の装置２０５、２０５−ａ）が選択モジュールを含まないこともあり得る。
【００５７】
[0068]  図４に示された監視モジュール３２０−ａは、周期的監視（periodic monitoring）サブモジュール４３５および反応的監視（reactionary monitoring）サブモジュール４４０を含む。周期的監視サブモジュール４３５は、１つまたは複数の候補または実際のビームについてのチャネル品質など、１つまたは複数の特性を周期的に監視するように構成され得る。反応的監視モジュール４４０は、ある特定の数のパケットの喪失など、何らかのイベントに反応して、候補または実際のビームのうちの１つまたは複数を再度特徴づける（re-characterize）ことを装置２０５に行なわせるように構成され得る。いくつかの実施形態では、特定のワイヤレス多元接続方式が、初期条件の何らかのセットに基づいて使用のために選択され、周期的および／または反応的監視サブモジュール４３５、４４０は、様々な送信／受信ビームフォーミング方向に対応する候補ビームおよび特性を周期的に再評価し、そして、再評価に基づいて、様々なワイヤレス多元接続方式間で動的に切り換え続けることができる。
【００５８】
[0069]  いくつかの実施形態では、監視モジュール３２０−ａは、周期的監視サブモジュール４３５および反応的監視サブモジュール４４０の両方を含み得るが、他の実施形態では、監視モジュール３２０−ａは、周期的監視サブモジュール４３５または反応的監視サブモジュール４４０のうちの１つだけを含み得る。また、いくつかの実施形態では、装置（例えば、図２または図３の装置２０５、２０５−ａ）が監視モジュールを含まないことがあり得る。
【００５９】
[0070]  図５は、様々な実施形態による、ワイヤレス通信において使用するためのシステム５００の図を示す。システム５００は、図１のＵＥ１１５および／または図２〜３の装置２０５、２０５−ａの一例であり得る、ＵＥ１１５−ｂを含む。システム５００は、また、図１の基地局１０５および／または図２〜３の装置２０５、２０５−ａの一例であり得る、基地局１０５−ｂを含む。
【００６０】
[0071]  図５に示されるＵＥ１１５−ｂは、アンテナ５２５、トランシーバモジュール５２０、プロセッサモジュール５０５、およびメモリ５１０（ソフトウェア５１５を含む）を含み、これらの各々が、直接的にまたは間接的に、互いに（例えば１つまたは複数のバス５４５を介して）通信し得る。トランシーバモジュール５２０は、アンテナ５２５および／または１つまたは複数のワイヤレス通信リンクを介して、前述したように１つまたは複数の基地局１０５−ｂと双方向に通信するように構成され得る（それらからの伝送を受信することによるものを含む）。トランシーバモジュール５２０は、パケットを変調して変調されたパケットを送信のためにアンテナ５２５に提供するように、そして、アンテナ５２５から受信されたパケットを復調するように構成された、モデムを含み得る。ＵＥ１１５−ｂは、いくつかの実施形態では単一のアンテナ５２５を含み得るが、ＵＥ１１５−ｂは、代替的に、マルチプルなワイヤレス送信を並列に送信および／または受信することが可能なマルチプルなアンテナ５２５を含むこともできる。トランシーバモジュール５２０は、したがって、１つまたは複数の基地局１０５−ｂと、あるいは単一の基地局１０５−ｂの１つまたは複数のセルと、並列に通信することが可能であり得る。
【００６１】
[0072]  メモリ５１０は、ランダムアクセスメモリ（ＲＡＭ）および／または読取専用メモリ（ＲＯＭ）を含み得る。メモリ５１０は、実行されたときに、プロセッサモジュール５０５に、本明細書に記載の様々な機能（例えば、異なるワイヤレス多元接続方式の使用の間で動的に切り換える）を実施させるように構成された命令を含む、コンピュータ可読のコンピュータ実行可能なソフトウェア／ファームウェアコード５１５を記憶し得る。代替的に、ソフトウェア／ファームウェアコード５１５は、プロセッサモジュール５０５によって直接的に実行可能ではなく、コンピュータに（例えば、コンパイルされ実行されたときに）本明細書に記載の機能を実施させるように構成されることもできる。プロセッサモジュール５０５は、インテリジェントハードウェアデバイス、例えば、中央処理ユニット（ＣＰＵ）、マイクロコントローラ、特定用途向け集積回路（ＡＳＩＣ）などを含み得、ランダムアクセスメモリ（ＲＡＭ）および読取専用メモリ（ＲＯＭ）を含み得る。
【００６２】
[0073]  ＵＥ１１５−ｂは、また、図２、図３、図４に示された切換えモジュール２１５の一例であり得る、そして、ＵＥ１１５−ｂの他のコンポーネントとの通信を可能にするためにバス５４５に結合され得る、切換えモジュール２１５−ｃを含む。切換えモジュール２１５−ｃは、図３および図４に示されたチャネル特性および選択モジュール３１０、３１５の例であり得る、チャネル特性モジュール３１０−ｂと選択モジュール３１５−ｂとを含み得る。
【００６３】
[0074]  また、図５に示されるように、トランシーバモジュール５２０は、図３に示されたチャネル品質信号測定モジュール３０５の一例であり得る、チャネル品質信号測定モジュール３０５−ａを含み得る。
【００６４】
[0075]  さらに図５を参照すると、ＵＥ１１５−ｂは基地局１０５−ｂからデータを受信するように構成され得る。したがって、チャネル品質信号測定モジュール３０５−ａは、ある数の送信／受信ビームフォーミング方向対に対応する基地局１０５−ｂからのチャネル品質決定信号を受信し（例えば、ある数の異なる候補ビームについて）、送信／受信ビームフォーミング方向対の各々に対応するチャネル品質測定値を決定するように構成され得る。切換えモジュール２１５−ｃのチャネル特性モジュール３１０−ｂは、これらの特性を記憶するように構成され得、選択モジュール３１５−ｂは、通信において使用するために送信／受信ビームフォーミング方向対および候補送信および／または受信ビーム幅のうちの１つを選択し、そしてまた、基地局１０５−ｂからＵＥ１１５−ｂへのその通信のために使用すべきワイヤレス多元接続方式を選択するように構成され得る。しかしながら、他の実施形態では、ＵＥ１１５−ｂは、基地局１０５−ｂに、送信／受信ビームフォーミング方向対に対応するチャネル品質測定値を送信するように構成され得、基地局１０５−ｂが、選択された候補ビーム送信／受信ビームフォーミング方向対のためにどのワイヤレス多元接続方式を使用すべきかを決定する。
【００６５】
[0076]  ＵＥ１１５−ｂが図５では基地局１０５−ｂによって送信されたデータの受信機であるものとして示されているが、ＵＥ１１５−ｂは、また、前述したように、基地局１０５−ｂにデータを送信することもできることが理解されよう。
【００６６】
[0077]  図６は、様々な実施形態による、ワイヤレス通信において使用するためのシステム６００の図を示す。システム６００は、図１または図５における基地局１０５、および／または図２〜３における装置２０５、２０５−ａの例であり得る、基地局１０５−ｃ、６０５−ｍ、６０５−ｎを含む。システム６００は、また、図１または図５におけるＵＥ１１５および／または図２〜３における装置２０５、２０５−ａの例であり得る、ＵＥ１１５−ｃを含む。
【００６７】
[0078]  基地局１０５−ｃは、アンテナ６４５、トランシーバモジュール６５０、メモリ６８０、およびプロセッサモジュール６７０を含み得、これら各々は、直接的にまたは間接的に、互いに（例えば、１つまたは複数のバスを通じて）通信し得る。トランシーバモジュール６５０は、ＵＥ１１５−ｃとアンテナ６４５を介して双方向に通信するように構成され得る（ＵＥ１１５−ｃに伝送を送ることを含む）。トランシーバモジュール６５０（および／または基地局１０５−ｃの他のコンポーネント）は、また、１つまたは複数のネットワークと双方向に通信するように構成され得る。いくつかのケースでは、基地局１０５−ｄは、ネットワーク通信モジュール６７５を通じてコアネットワーク１３０−ａおよび／またはコントローラ６２０と通信し得る。基地局１０５−ｃは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の例であり得る。コントローラ６２０は、いくつかのケースでは、ｅＮｏｄｅＢ基地局のように基地局１０５−ｃに一体化され得る。
【００６８】
[0079]  基地局１０５−ｃは、また、基地局６０５−ｍおよび基地局６０５−ｎのような他の基地局１０５と通信し得る。基地局１０５、６０５−ｍ、６０５−ｎの各々が、異なる無線接続技術など、異なるワイヤレス通信技術を使用して、１つまたは複数のＵＥと通信し得、該通信の少なくとも一部はビームフォーミング技術を含む。いくつかのケースでは、基地局１０５−ｃが、基地局通信モジュール６６５を用いて、６０５−ｍおよび／または６０５−ｎなどの他の基地局と通信し得る。いくつかの実施形態では、基地局通信モジュール６６５は、基地局１０５−ｃ、６０５−ｍ、６０５−ｎのいくつかの間の通信を提供するためにＬＴＥワイヤレス通信技術の中でＸ２インタフェースを提供し得る。いくつかの実施形態では、基地局１０５−ｃは、コントローラ６２０および／またはコアネットワーク１３０−ａを通じて他の基地局と通信し得る。
【００６９】
[0080]  メモリ６８０は、ランダムアクセスメモリ（ＲＡＭ）および読取専用メモリ（ＲＯＭ）を含み得る。メモリ６８０は、また、実行されたときに、本明細書に記載の様々な機能（例えば、異なるワイヤレス多元接続方式の使用の間で動的に切り換える）をプロセッサモジュール６７０に行わせるように構成された命令を含む、コンピュータ可読のコンピュータ実行可能なソフトウェアコード６８５を記憶し得る。代替的に、ソフトウェアコード６８５は、プロセッサモジュール６７０によって直接的に実行可能でなく、例えばコンパイルされ実行されたときに、コンピュータに本明細書に記載の機能を実施させるように構成されることもできる。
【００７０】
[0081]  プロセッサモジュール６７０は、インテリジェントハードウェアデバイス、例えば、中央処理ユニット（ＣＰＵ）、マイクロコントローラ、特定用途向け集積回路（ＡＳＩＣ）などを含み得る。トランシーバモジュール６５０は、パケットを変調して変調されたパケットを送信のためにアンテナ６４５に提供するように、そして、アンテナ６４５から受信されたパケットを復調するように構成された、モデムを含み得る。基地局１０５−ｃのいくつかの例は単一のアンテナ６４５を含み得るが、基地局１０５−ｃは、代替的に、キャリアアグリゲーションをサポートし得るマルチプルなリンクのためのマルチプルなアンテナ６４５を含むこともできる。
【００７１】
[0082]  図６のアーキテクチャによれば、基地局１０５−ｃは、通信管理モジュール６６０をさらに含み得る。通信管理モジュール６６０は、他の基地局１０５との通信を管理し得る。一例として、通信管理モジュール６６０は、バスを介して基地局１０５−ｃの他のコンポーネントの一部またはすべてと通信している基地局１０５−ｃのコンポーネントであり得る。代替的に、通信管理モジュール６６０の機能は、トランシーバモジュール６５０のコンポーネントとして、コンピュータプログラム製品として、および／またはプロセッサモジュール６７０の１つまたは複数のコントローラエレメントとして、実装され得る。
【００７２】
[0083]  図６における基地局１０５−ｃは、また、図２、３、４、または５に示された切換えモジュール２１５の例であり得る、切換えモジュール２１５−ｄを含む。図６における切換えモジュール２１５−ｄは、チャネル特性モジュール３１０−ｃ、選択モジュール３１５−ｃ、および監視モジュール３２０を含み得る。図６におけるチャネル特性モジュール３１０−ｃ、選択モジュール３１５−ｃ、および監視モジュール３２０は、いくつかの実施形態においては図３および図４に示された類似のコンポーネントと類似の機能を有し得る。
【００７３】
[0084]  また、図６に示されるように、トランシーバモジュール６５０は、図３に示されたチャネル品質信号生成モジュール３２５の例であり得る、チャネル品質信号生成モジュール３２５−ａを含み得る。
【００７４】
[0085]  さらに図６を参照すると、基地局１０５−ｃは、ＵＥ１１５−ｃにデータを送信するように構成され得る。したがって、チャネル品質信号生成モジュール３２５−ａは、ある数の送信／受信ビームフォーミング方向対に対応する１つまたは複数のチャネル品質決定信号を送信するように（例えば、ある数の異なる候補ビームについて）、そしてオプションとして、送信されたチャネル品質決定信号の少なくとも一部に対応するチャネル品質測定値を受信するように、構成され得る。切換えモジュール２１５−ｄのチャネル特性モジュール３１０−ｃは、これらの特性を記憶するように構成され得、選択モジュール３１５−ｃは、通信において使用するための送信／受信ビームフォーミング方向対および送信および／または受信ビーム幅のうちの１つを選択するように、そしてまた、基地局１０５−ｃからＵＥ１１５−ｃへの通信のために使用すべきワイヤレス多元接続方式を選択するように、構成され得る。しかしながら、他の実施形態では、ＵＥ１１５−ｃは、特定の通信のためにどのワイヤレス多元接続方式が使用されるかを決定し得、基地局１０５−ｃは、その決定を受け取り、それに応じてＵＥ１１５−ｃに送信し始めるように構成され得る。
【００７５】
[0086]  基地局１０５−ｃが図６ではＵＥ１１５−ｃへのデータの送信機であるものとして示されているが、基地局１０５−ｃは、また、前述したように、ＵＥ１１５−ｃから送信されたデータを受信することもできることが理解されよう。
【００７６】
[0087]  図７は、様々な実施形態による、ワイヤレス多元接続方式間で動的に切り換えることのできる基地局１０５−ｄの図７００である。図７に示されているように、基地局１０５−ｄは、いくつかの異なる候補ビーム１４０のうちの１つを使用して受信機（例えば、ＵＥ１１５）にデータを送信し得、ここで、各候補ビームは、基地局送信およびＵＥ受信のビームフォーミング方向を有し、１つまたは複数の送信および／または受信ビーム幅７０５に関連づけられている。
【００７７】
[0088]  同様に、図８は、様々な実施形態による、ワイヤレス多元接続方式間で動的に切り換えることのできるＵＥ１１５−ｄの図８００である。図８に示されるように、ＵＥ１１５−ｄは、いくつかの異なる候補ビーム１４０のうちの１つを使用して受信機（例えば基地局１０５）にデータを送信し得、ここで、各候補ビームは、それぞれのＵＥ送信／基地局受信のビームフォーミング方向を有し、１つまたは複数の送信および／または受信ビーム幅７０５に関連付けられている。所与の通信について基地局１０５−ｄが送信機であるのかＵＥ１１５−ｄが送信機であるのかにかかわらず、本明細書に記載の技法は、送信および／または受信ビーム幅の所与の組合せを備える送信および／または受信ビームフォーミング方向の所与の組合せにおける候補ビームに対応する識別された特性に基づいて、様々なワイヤレス多元接続方式間で動的に切り換えるために使用され得る。
【００７８】
[0089]  ここで、図９を参照すると、様々な実施形態によるワイヤレス多元接続方式間の動的な切換えを示すタイミング図９００が示されている。図３および図４を参照して前述したように、監視モジュール３２０は、いくつかの実施形態では、チャネル品質などのチャネル特性を監視し、ワイヤレス多元接続方式間を動的に切り換える際に使用すべき監視情報を選択モジュール３１５に提供し得る。図９は、よって、チャネル品質を監視し、監視されたチャネル品質に基づいてワイヤレス多元接続方式間で動的に切り換えるために、監視モジュール３２０が、本開示のいくつかの実施形態に従ってどのように使用され得るかを示している。
【００７９】
[0090]  図９は、所与の送信／受信ビームフォーミング方向対および所与の送信および／または受信ビーム幅について、チャネル品質が時間とともにどのように変動し得るかのプロット９０５を示しており、ここで、図９００のｘ軸９２５は時間を表し、ｙ軸９３０は、信号強度など、チャネル品質の何らかの尺度（measure）を表している。図９において、チャネル品質が比較的良い場合、ＳＣ−ＦＤＭＡが使用され得、チャネル品質が比較的悪い場合、ＯＦＤＭＡが使用され得る。
【００８０】
[0091]  図９に示されるように、現在使用されているワイヤレス多元接続方式が別のワイヤレス多元接続方式にいつ動的に切り換えられるべきかを決定するために選択モジュール３１５のチャネル品質しきい値サブモジュール４２０によって使用され得る、すなわち、チャネル品質の点で、何が「比較的」良いかまたは「比較的」悪いかを定義する、チャネル品質の１つまたは複数のしきい値９１０、９１５、９２０が存在し得る。いくつかの実施形態では、ワイヤレス多元接続方式間の動的な切換えにおいて、時間または大きさのいずれかにおける何らかの形態のヒステリシスを実装し得る、マルチプルなしきい値が存在し得る。例えば、図９は、大きさベースのヒステリシスを示し、ここでは、チャネル品質がＱ１しきい値９２０未満に下がるまでＳＣ−ＦＤＭＡが使用され、チャネル品質がＱ３しきい値９１０を超えるまでＯＦＤＭＡが使用され、ここで、Ｑ２しきい値９１５は、どのワイヤレス多元接続方式が使用されるべきかの初期決定においてのみ使用される。しかしながら、代替的に、送信機がＯＦＤＭＡを使用することに切り換わる前に、チャネル品質が所定の時間量にわたって品質しきい値を下回る必要があり、同様に、送信されたものがＳＣ−ＦＤＭＡを使用することに切り換わる前に、チャネル品質が所定の時間量にわたって品質しきい値を上回る必要がある、時間ベースのヒステリシスが使用されることもできる。
【００８１】
[0092]  ここで、図９の具体的なプロット例９０５を見ると、時間Ｔ１において、チャネル品質がＱ３しきい値９１０を上回っているのでチャネル品質は比較的良く、したがって、ＳＣ−ＦＤＭＡが通信のために使用され得る。しかし、時間Ｔ２において、チャネル品質は、Ｑ１しきい値９２０未満に低下しており、したがって、ＯＦＤＭＡが通信のために使用され得る。時間Ｔ３において、チャネル品質は再び改善されており、したがって、ＳＣ−ＦＤＭＡが再び使用される。時間Ｔ４において、チャネル品質はＱ２しきい値９１５未満に低下するが、チャネル品質が時間Ｔ５においてＱ１しきい値９２０未満になるまで、使用されるワイヤレス多元接続方式は、ＯＦＤＭＡに変化しないことがある。また、時間Ｔ６において、チャネル品質がいくらか改善しているにもかかわらず、Ｑ３しきい値９１０を超えてはいないので、通信のために使用されるワイヤレス多元接続方式は、ＳＣ−ＦＤＭＡに切り換わらず、その代わりにＯＦＤＭＡにとどまる。
【００８２】
[0093]  図９のプロット９０５が、１つのチャネル特性（すなわち、チャネル品質）が時間とともにどのように変動し得るか、およびチャネル特性が時間とともに変動するにつれて、通信のために使用されるワイヤレス多元接続方式が時間とともにどのように動的に変化し得るかの単なる一例にすぎないことが理解されよう。
【００８３】
[0094]  図１０は、様々な実施形態による、ワイヤレス通信のためのワイヤレス多元接続方式間で動的に切り換える方法を示すフローチャート１０００を示す。フローチャート１０００の機能は、図１〜４を参照して前述したように、基地局１０５またはそのコンポーネント、ＵＥ１１５またはそのコンポーネント、または装置２０５またはそのコンポーネントによって実装され得る。
【００８４】
[0095]  ブロック１００５において、ワイヤレス通信チャネルの複数の送信／受信ビームフォーミング方向対それぞれに対応する複数の特性が受信され得る。一実施例では、特性は、基地局１０５が複数の送信／受信ビームフォーミング方向対においてＵＥに複数のチャネル品質決定信号を送信した後で、ＵＥ１１５から基地局の受信機モジュール２１０によって受信され得る。
【００８５】
[0096]  ブロック１０１０において、ワイヤレス通信チャネルにおける通信のために使用されるワイヤレス多元接続方式は、識別された複数の特性に少なくとも部分的に基づいて動的に切り換える（すなわち変化する）ことができる。一実施形態では、どのワイヤレス多元接続方式を使用すべきかの決定（すなわち、現在のワイヤレス多元接続方式が引き続き使用されるか、または新しいワイヤレス多元接続方式が使用されるか）は、例えば選択モジュール３１５を含む、切換えモジュール２１５によって実施され得る。
【００８６】
[0097]  フローチャート１０００の方法が方法の動作の単なる一実装形態に過ぎず、他の実装形態が可能であるように諸ステップが再配置され、または他の何らかの形で修正され得ることに留意すべきである。
【００８７】
[0098]  図１１は、様々な実施形態による、ワイヤレス通信のためのワイヤレス多元接続方式間で動的に切り換える方法を示すフローチャート１１００を示す。フローチャート１１００の機能は、図１〜４を参照して前述したように、基地局１０５またはそのコンポーネント、ＵＥ１１５またはそのコンポーネント、あるいは装置２０５またはそのコンポーネントによって実装され得る。一般的に言えば、図１１のフローチャート１１００に示された方法は、受信機にデータを送信するために使用され得る送信機によって実施され得る。
【００８８】
[0099]  ブロック１１０５において、チャネル品質決定信号は、複数の送信／受信ビームフォーミング方向対それぞれの各々について送信され得る。ブロック１１０５は、例えば、チャネル品質信号生成モジュール３２５によって実施され得る。ブロック１１１０において、送信／受信ビームフォーミング方向対のうちの少なくともいくつかに対応するそれぞれのチャネル品質測定値が、例えば、送信機の受信機モジュール２１０によって受信され得る。
【００８９】
[0100]  ブロック１１１５において、受信されたチャネル品質測定値に少なくとも部分的に基づいてＯＦＤＭＡを使用すべきかまたはＳＣ−ＦＤＭＡを使用すべきか（あるいは別のワイヤレス多元接続方式を使用すべきか）についての決定がなされ得る。一実施形態では、どのワイヤレス多元接続方式を使用すべきか（すなわち、現在のワイヤレス多元接続方式が引き続き使用されるか、または新しいワイヤレス多元接続方式が使用されるか）の決定は、例えば選択モジュール３１５を含む、切換えモジュール２１５によって実施され得る。
【００９０】
[0101]  フローチャート１１００の方法が方法の動作の単なる一実装形態に過ぎず、他の実装形態が可能であるように諸ステップが再配置され、または他の何らかの形で修正され得ることに留意すべきである。
【００９１】
[0102]  図１２は、様々な実施形態によるワイヤレス通信のためのワイヤレス多元接続方式間で動的に切り換える方法を示すフローチャート１２００を示す。フローチャート１２００の機能は、図１〜４を参照して前述したように、基地局１０５またはそのコンポーネント、ＵＥ１１５またはそのコンポーネント、あるいは装置２０５またはそのコンポーネントによって実装され得る。一般的に言って、図１２のフローチャート１２００において示された方法は、送信機からデータを受信するために使用され得る受信機によって実施され得る。
【００９２】
[0103]  ブロック１２０５において、１つまたは複数の送信／受信ビームフォーミング方向対に対応する１つまたは複数のチャネル品質決定信号が受信され得る。ブロック１２１０において、受信されたチャネル品質決定信号の各々に対応するチャネル品質測定値が決定され得る。ブロック１２０５および１２１０は、例えば、チャネル品質信号測定モジュール３０５によって実施され得る。
【００９３】
[0104]  フローチャート１２００の方法が方法の動作の単なる一実装形態に過ぎず、他の実装形態が可能であるように諸ステップが再配置され、または他の何らかの形で修正され得ることに留意すべきである。
【００９４】
[0105]  添付の図面に関して上述された詳細な説明は、例示的な実施形態を説明しており、インプリメントされうるまたは特許請求の範囲内にある実施形態のみを表すものではない。本明細書全体にわたって使用される用語「例示的（exemplary）」は、「好ましい」あるいは「他の実施形態よりも有利である」ということではなく、「例、実例、あるいは例示として役立つこと」を意味する。詳細な説明は、説明された技術の理解を提供する目的で、特定の詳細を含む。これらの技法は、しかしながら、これらの特定の詳細なしに実施されうる。いくつかの事例では、知られている構造およびデバイスは、説明された実施形態の概念を曖昧にしないように、ブロック図形式で示される。
【００９５】
[0106]  情報および信号は、様々な異なる技術および技法のうちの任意のもの用いて表わされうる。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【００９６】
[0107]  ここでの開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェアコンポーネント、またはここで説明された機能を実行するように設計されたこれらの任意の組み合わせを用いてインプリメントまたは実行されうる。汎用プロセッサは、マイクロプロセッサであり得るが、代替において、このプロセッサは、任意の従来のプロセッサ、コントローラ、マイクロコントローラ、またはステートマシン（state machine）であり得る。プロセッサはまた、コンピューティングデバイスの組み合わせ、例えば、ＤＳＰおよびマイクロプロセッサの組み合わせ、多数のマイクロプロセッサ、ＤＳＰコアと連携した１つまたは多数のマイクロプロセッサ、あるいは任意の他のそのような構成としてインプリメントされうる。
【００９７】
[0108]  本明細書で説明された機能は、ハードウェア、プロセッサによって実行されるソフトウェア、ファームウェア、またはそれらの任意の組み合わせでインプリメントされうる。プロセッサによって実行されるソフトウェアでインプリメントされる場合、機能は、１つまたは複数の命令またはコードとしてコンピュータ可読媒体で記憶され、送信され得る。他の例および実現は、本開示および特許請求の範囲の趣旨および範囲内にある。例えば、ソフトウェアの性質により、上述された機能は、プロセッサによって実行されるソフトウェア、ハードウェア、ファームウェア、ハード配線、またはこれらのいずれかの組み合わせにより実装されることができる。機能をインプリメントする特徴はまた、機能の一部が異なる物理的ロケーションでインプリメントされるように分散されることを含めて、様々な位置に物理的にロケートされうる。また、請求項を含む本明細書で使用される場合、項目のリスト（例えば、「のうちの少なくとも１つ」または「のうちの１つまたは複数」のようなフレーズで始まる項目のリスト）において使用されるような「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような選言的なリスト（disjunctive list）を示す。
【００９８】
[0109]  コンピュータ可読媒体は、１つの場所から別の場所へのコンピュータプログラムの移動を容易にするあらゆる媒体を含む通信媒体とコンピュータ記憶媒体との両方を含む。記憶媒体は、汎用または特殊用途コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または、命令またはデータ構造の形式で所望のプログラムコード手段を搬送または記憶するために使用されることができ、汎用または専用コンピュータ、または汎用または専用プロセッサによってアクセスされることができる、任意の他の媒体を備えることができる。また、任意の接続は、コンピュータ可読媒体と適切に称される。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は送信媒体の定義に含まれている。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【００９９】
[0110]  本明細書で説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムに対して使用されうる。用語「システム」および「ネットワーク」は、しばしば区別なく用いられる。ＣＤＭＡシステムは、ＣＤＭＡ２０００、ユニバーサル地上無線アクセス（ＵＴＲＡ）、等のような無線技術を実現し得る。ｃｄｍａ２０００は、ＩＳ−２０００、ＩＳ−９５およびＩＳ−８５６規格をカバーする。ＩＳ−２０００リリース０およびＡは一般に、ＣＤＭＡ２０００１Ｘ、１Ｘ、等と呼ばれる。ＩＳ−８５６（ＴＩＡ−８５６）は、一般的に、ＣＤＭＡ２０００  １ｘＥＶ−ＤＯ、高速パケットデータ（ＨＲＰＤ）、等と称される。ＵＴＲＡは、広帯域ＣＤＭＡ（ＷＣＤＭＡ（登録商標））およびＣＤＭＡの他のバリエーションを含む。ＴＤＭＡシステムは、移動通信のためのグローバルシステム（ＧＳＭ（登録商標））のような無線技術を実現し得る。ＯＦＤＭＡシステムは、ウルトラモバイルブロードバンド（ＵＭＢ）、進化型ＵＴＲＡ（Ｅ-ＵＴＲＡ）、ＩＥＥＥ８０２．１１（Ｗｉ-Ｆｉ）、ＩＥＥＥ８０２．１６（ＷｉＭａｘ）、ＩＥＥＥ８０２．２０、Ｆｌａｓｈ-ＯＦＤＭ等の無線技術を実装することができる。ＵＴＲＡおよびＥ-ＵＴＲＡは、ユニバーサルモバイルテレコミュニケ―ションシステム（ＵＭＴＳ）の一部である。３ＧＰＰ（登録商標）ロングタームエボリューション（ＬＴＥ）およびＬＴＥアドバンスト（ＬＴＥ-Ａ）は、Ｅ-ＵＴＲＡを使用するＵＭＴＳの最新リリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体からの文書内において説明されている。ｃｄｍａ２０００およびＵＭＢは、「第３世代パートナーシッププロジェクト２」（３ＧＰＰ２）という名称の団体からの文書内において説明されている。本明細書で説明される技法は、上述されたシステムおよび無線技術のみならず、他のシステムおよび無線技術に使用され得る。
【０１００】
[0111]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用されうる。本開示全体を通じて、「例（example）」または「例証的（exemplary）」という用語は、例または事例を示すものであり、言及された例についてのいかなる選好も暗示または必要とするものではない。したがって、本開示は、ここに記載された例および設計に制限されることを意図せず、ここに開示された原理および新規な特徴とに合致する最も広い範囲が与えられるべきである。
【図１】
2017530594.tif 000003
【図２】
2017530594.tif 000004
【図３】
2017530594.tif 000005
【図４】
2017530594.tif 000006
【図５】
2017530594.tif 000007
【図６】
2017530594.tif 000008
【図７】
2017530594.tif 000009
【図８】
2017530594.tif 000010
【図９】
2017530594.tif 000011
【図１０】
2017530594.tif 000012
【図１１】
2017530594.tif 000013
【図１２】
2017530594.tif 000014
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレス通信チャネルの複数の送信／受信ビームフォーミング方向対のそれぞれに対応する複数の特性を識別することと、ここにおいて、前記複数の特性のうちの少なくとも１つの特性は、送信または受信ビーム幅を備える、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える方法。
【請求項２】
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定することをさらに備える、請求項１に記載の方法。
【請求項３】
前記通信にどのワイヤレス多元接続方式を使用すべきかを決定するために、様々な送信および／または受信ビーム幅を使用して前記複数の送信／受信ビームフォーミング方向対のうちの１つまたは複数についてそれぞれのチャネル品質決定信号を送信することをさらに備える、請求項１に記載の方法。
【請求項４】
前記１つの送信／受信ビームフォーミング方向対に対応する前記特性が所定のしきい値よりも大きいかまたは小さいかに少なくとも部分的に基づいて、前記通信のためにＯＦＤＭＡを使用すべきかまたはＳＣ−ＦＤＭＡを使用すべきかを決定することをさらに備える、請求項１に記載の方法。
【請求項５】
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
をさらに備える、請求項１に記載の方法。
【請求項６】
複数の異なる周波数を使用して同時発生的に、または類似の周波数を使用して異なる時点において、前記チャネル品質決定信号を送信することをさらに備える、請求項５に記載の方法。
【請求項７】
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、請求項５に記載の方法。
【請求項８】
前記通信のためにＯＦＤＭＡが使用されるかまたはＳＣ−ＦＤＭＡが使用されるかのインジケーションを送信することをさらに備える、請求項５に記載の方法。
【請求項９】
前記複数の特性を監視することと、
前記監視された特性に少なくとも部分的に基づいて前記ワイヤレス多元接続方式間で動的に切り換え続けることと、
をさらに備える、請求項５に記載の方法。
【請求項１０】
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
をさらに備える、請求項１に記載の方法。
【請求項１１】
前記決定されたチャネル品質測定値を送信することをさらに備える、請求項１０に記載の方法。
【請求項１２】
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定することをさらに備える、請求項１０に記載の方法。
【請求項１３】
前記複数の送信／受信ビームフォーミング方向対の各々についてチャネル品質決定信号を送信することと、
前記ワイヤレス通信チャネルの前記複数の特性を受信することと、ここで、前記複数の特性の各々は、前記送信されたチャネル品質決定信号に少なくとも部分的に基づくそれぞれのチャネル品質測定値を備える、
前記受信された複数の特性に少なくとも部分的に基づいて前記通信のためにＯＦＤＭＡを使用すべきかまたはＳＣ−ＦＤＭＡを使用すべきかを決定することと、
をさらに備える、請求項１に記載の方法。
【請求項１４】
前記ワイヤレス通信チャネルは、ミリ波波長無線周波数チャネルである、請求項１に記載の方法。
【請求項１５】
送信機が、前記複数の特性を受信し、前記ワイヤレス通信チャネルにおける前記通信のためにＯＦＤＭＡを使用すべきかまたはＳＣ−ＦＤＭＡを使用すべきかを決定する、請求項１に記載の方法。
【請求項１６】
前記複数の送信／受信ビームフォーミング方向対の各々は、ビームフォーミングされた信号が送信機から伝搬する前記送信機の向きに対する送信ビームフォーミング方向を備え、そしてまた、前記ビームフォーミングされた信号が受信される受信機の向きに対する受信ビームフォーミング方向を備える、請求項１に記載の方法。
【請求項１７】
ワイヤレス通信のための装置であって、
ワイヤレス通信チャネルの複数の送信／受信ビームフォーミング方向対のそれぞれに対応する複数の特性を識別するための手段と、ここにおいて、前記複数の特性のうちの少なくとも１つの特性は、送信または受信ビーム幅を備える、
前記識別された複数の特性に少なくとも部分的に基づいて前記ワイヤレス通信チャネルにおける通信に使用するためにワイヤレス多元接続方式間で動的に切り換えるための手段と、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える装置。
【請求項１８】
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定するための手段をさらに備える、請求項１７に記載の装置。
【請求項１９】
前記複数の送信／受信ビームフォーミング方向対のそれぞれ１つごとにチャネル品質決定信号を送信するための手段と、
前記複数の送信／受信ビームフォーミング方向対のうちの少なくともいくつかに対応するそれぞれのチャネル品質測定値を受信するための手段と、
前記受信されたチャネル品質測定値に少なくとも部分的に基づいて前記通信のためにＯＦＤＭＡを使用すべきかまたはＳＣ−ＦＤＭＡを使用すべきかを決定するための手段と、
をさらに備える、請求項１７に記載の装置。
【請求項２０】
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、請求項１９に記載の装置。
【請求項２１】
前記複数の特性を監視するための手段と、
前記監視された特性に少なくとも部分的に基づいて前記ワイヤレス多元接続方式間で動的に切り換え続けるための手段と、
をさらに備える、請求項１９に記載の装置。
【請求項２２】
前記複数の送信／受信ビームフォーミング方向対のうちの１つまたは複数に対応する１つまたは複数のチャネル品質決定信号を受信するための手段と、
前記複数の送信／受信ビームフォーミング方向対のうちの前記１つまたは複数の各々に対応するチャネル品質測定値を決定するための手段と、ここで、前記チャネル品質測定値は、前記それぞれのチャネル品質決定信号に少なくとも部分的に基づく、
をさらに備える、請求項１７に記載の装置。
【請求項２３】
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定するための手段をさらに備える、請求項２２に記載の装置。
【請求項２４】
前記ワイヤレス通信チャネルは、ミリ波波長無線周波数チャネルである、請求項１７に記載の装置。
【請求項２５】
ワイヤレス通信のための装置であって、
プロセッサと、
前記プロセッサと電子通信するメモリと、
前記メモリに記憶された命令とを備え、前記命令は、
ワイヤレス通信チャネルの複数の送信／受信ビームフォーミング方向対のそれぞれに対応する複数の特性を識別することと、ここにおいて、前記複数の特性のうちの少なくとも１つの特性は、送信または受信ビーム幅を備える、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を行うように前記プロセッサによって実行可能である、
装置。
【請求項２６】
前記メモリは、
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
を行うように前記プロセッサによって実行可能な命令をさらに備える、請求項２５に記載の装置。
【請求項２７】
前記メモリは、
前記複数の特性を監視することと、
前記監視された特性に少なくとも部分的に基づいて前記ワイヤレス多元接続方式間で動的に切り換え続けることと、
を行うように前記プロセッサによって実行可能な命令をさらに備える、請求項２６に記載の装置。
【請求項２８】
前記メモリは、
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
を行うように前記プロセッサによって実行可能な命令をさらに備える、請求項２５に記載の装置。
【請求項２９】
ワイヤレスデバイスにおけるワイヤレス通信のための非一時的なコンピュータ可読媒体であって、
ワイヤレス通信チャネルの複数の送信／受信ビームフォーミング方向対のそれぞれに対応する複数の特性を識別することと、ここにおいて、前記複数の特性のうちの少なくとも１つの特性は、送信または受信ビーム幅を備える、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
のためのコンピュータ実行可能なコードを記憶する、非一時的なコンピュータ可読媒体。
【手続補正２】
【補正対象書類名】明細書
【補正対象項目名】０１００
【補正方法】変更
【補正の内容】
【０１００】
[0111]  本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形例に適用されうる。本開示全体を通じて、「例（example）」または「例証的（exemplary）」という用語は、例または事例を示すものであり、言及された例についてのいかなる選好も暗示または必要とするものではない。したがって、本開示は、ここに記載された例および設計に制限されることを意図せず、ここに開示された原理および新規な特徴とに合致する最も広い範囲が与えられるべきである。
以下に、出願当初の特許請求の範囲に記載された発明を付記する。
［Ｃ１］
ワイヤレス通信のための方法であって、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える方法。
［Ｃ２］
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定することをさらに備える、上記Ｃ１に記載の方法。
［Ｃ３］
各特性はそれぞれ、送信または受信ビーム幅を備える、上記Ｃ１に記載の方法。
［Ｃ４］
前記通信にどのワイヤレス多元接続方式を使用すべきかを決定するために、様々な送信および／または受信ビーム幅を使用して前記複数の送信／受信ビームフォーミング方向対のうちの１つまたは複数についてそれぞれのチャネル品質決定信号を送信することをさらに備える、上記Ｃ３に記載の方法。
［Ｃ５］
前記１つの送信／受信ビームフォーミング方向対に対応する前記特性が所定のしきい値よりも大きいかまたは小さいかに少なくとも部分的に基づいて、前記通信のためにＯＦＤＭＡを使用すべきかまたはＳＣ−ＦＤＭＡを使用すべきかを決定することをさらに備える、上記Ｃ１に記載の方法。
［Ｃ６］
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
をさらに備える、上記Ｃ１に記載の方法。
［Ｃ７］
複数の異なる周波数を使用して同時発生的に、または類似の周波数を使用して異なる時点において、前記チャネル品質決定信号を送信することをさらに備える、上記Ｃ６に記載の方法。
［Ｃ８］
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、上記Ｃ６に記載の方法。
［Ｃ９］
前記通信のためにＯＦＤＭＡが使用されるかまたはＳＣ−ＦＤＭＡが使用されるかのインジケーションを送信することをさらに備える、上記Ｃ６に記載の方法。
［Ｃ１０］
前記複数の特性を監視することと、
前記監視された特性に少なくとも部分的に基づいて前記ワイヤレス多元接続方式間で動的に切り換え続けることと、
をさらに備える、上記Ｃ６に記載の方法。
［Ｃ１１］
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
をさらに備える、上記Ｃ１に記載の方法。
［Ｃ１２］
前記決定されたチャネル品質測定値を送信することをさらに備える、上記Ｃ１１に記載の方法。
［Ｃ１３］
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定することをさらに備える、上記Ｃ１１に記載の方法。
［Ｃ１４］
前記複数の送信／受信ビームフォーミング方向対の各々についてチャネル品質決定信号を送信することと、
前記ワイヤレス通信チャネルの前記複数の特性を受信することと、ここで、前記複数の特性の各々は、前記送信されたチャネル品質決定信号に少なくとも部分的に基づくそれぞれのチャネル品質測定値を備える、
前記受信された複数の特性に少なくとも部分的に基づいて前記通信のためにＯＦＤＭＡを使用すべきかまたはＳＣ−ＦＤＭＡを使用すべきかを決定することと、
をさらに備える、上記Ｃ１に記載の方法。
［Ｃ１５］
前記ワイヤレス通信チャネルは、ミリ波波長無線周波数チャネルである、上記Ｃ１に記載の方法。
［Ｃ１６］
送信機が、前記複数の特性を受信し、前記ワイヤレス通信チャネルにおける前記通信のためにＯＦＤＭＡを使用すべきかまたはＳＣ−ＦＤＭＡを使用すべきかを決定する、上記Ｃ１に記載の方法。
［Ｃ１７］
前記複数の送信／受信ビームフォーミング方向対の各々は、ビームフォーミングされた信号が送信機から伝搬する前記送信機の向きに対する送信ビームフォーミング方向を備え、そしてまた、前記ビームフォーミングされた信号が受信される受信機の向きに対する受信ビームフォーミング方向を備える、上記Ｃ１に記載の方法。
［Ｃ１８］
ワイヤレス通信のための装置であって、
ワイヤレス通信チャネルの複数の送信／受信ビームフォーミング方向対のそれぞれに対応する複数の特性を識別するための手段と、
前記識別された複数の特性に少なくとも部分的に基づいて前記ワイヤレス通信チャネルにおける通信に使用するためにワイヤレス多元接続方式間で動的に切り換えるための手段と、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を備える装置。
［Ｃ１９］
前記通信のために選択された前記複数の送信／受信ビームフォーミング方向対のうちの１つの送信／受信ビームフォーミング方向対に対応するそれぞれの特性に少なくとも部分的に基づいて、どのワイヤレス多元接続方式を使用すべきかを決定するための手段をさらに備える、上記Ｃ１８に記載の装置。
［Ｃ２０］
前記複数の送信／受信ビームフォーミング方向対のそれぞれ１つごとにチャネル品質決定信号を送信するための手段と、
前記複数の送信／受信ビームフォーミング方向対のうちの少なくともいくつかに対応するそれぞれのチャネル品質測定値を受信するための手段と、
前記受信されたチャネル品質測定値に少なくとも部分的に基づいて前記通信のためにＯＦＤＭＡを使用すべきかまたはＳＣ−ＦＤＭＡを使用すべきかを決定するための手段と、
をさらに備える、上記Ｃ１８に記載の装置。
［Ｃ２１］
前記チャネル品質測定値は、信号強度、信号対干渉雑音比（ＳＩＮＲ）、パケット誤り率、遅延拡散、またはユーザ機器（ＵＥ）において観察されるエコーの数のうちの１つまたは複数である、上記Ｃ２０に記載の装置。
［Ｃ２２］
前記複数の特性を監視するための手段と、
前記監視された特性に少なくとも部分的に基づいて前記ワイヤレス多元接続方式間で動的に切り換え続けるための手段と、
をさらに備える、上記Ｃ２０に記載の装置。
［Ｃ２３］
前記複数の送信／受信ビームフォーミング方向対のうちの１つまたは複数に対応する１つまたは複数のチャネル品質決定信号を受信するための手段と、
前記複数の送信／受信ビームフォーミング方向対のうちの前記１つまたは複数の各々に対応するチャネル品質測定値を決定するための手段と、ここで、前記チャネル品質測定値は、前記それぞれのチャネル品質決定信号に少なくとも部分的に基づく、
をさらに備える、上記Ｃ１８に記載の装置。
［Ｃ２４］
前記決定されたチャネル品質測定値に少なくとも部分的に基づいて前記ワイヤレス通信チャネルにおける前記通信のためにＯＦＤＭＡを使用すべきかまたはＳＣ−ＦＤＭＡを使用すべきかを決定するための手段をさらに備える、上記Ｃ２３に記載の装置。
［Ｃ２５］
前記ワイヤレス通信チャネルは、ミリ波波長無線周波数チャネルである、上記Ｃ１８に記載の装置。
［Ｃ２６］
ワイヤレス通信のための装置であって、
プロセッサと、
前記プロセッサと電子通信するメモリと、
前記メモリに記憶された命令とを備え、前記命令は、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
を行うように前記プロセッサによって実行可能である、
装置。
［Ｃ２７］
前記メモリは、
前記複数の送信／受信ビームフォーミング方向対のそれぞれ１つごとにチャネル品質決定信号を送信することと、
前記複数の送信／受信ビームフォーミング方向対のうちの少なくともいくつかに対応するそれぞれのチャネル品質測定値を受信することと、
前記受信されたチャネル品質測定値に少なくとも部分的に基づいて前記通信のためにＯＦＤＭＡを使用すべきかまたはＳＣ−ＦＤＭＡを使用すべきかを決定することと、
を行うように前記プロセッサによって実行可能な命令をさらに備える、上記Ｃ２６に記載の装置。
［Ｃ２８］
前記メモリは、
前記複数の特性を監視することと、
前記監視された特性に少なくとも部分的に基づいて前記ワイヤレス多元接続方式間で動的に切り換え続けることと、
を行うように前記プロセッサによって実行可能な命令をさらに備える、上記Ｃ２７に記載の装置。
［Ｃ２９］
前記メモリは、
前記複数の送信／受信ビームフォーミング方向対のうちの１つまたは複数に対応する１つまたは複数のチャネル品質決定信号を受信することと、
前記複数の送信／受信ビームフォーミング方向対のうちの前記１つまたは複数の各々に対応するチャネル品質測定値を決定することと、ここで、前記チャネル品質測定値は、前記それぞれのチャネル品質決定信号に少なくとも部分的に基づく、
を行うように前記プロセッサによって実行可能な命令をさらに備える、上記Ｃ２６に記載の装置。
［Ｃ３０］
ワイヤレスデバイスにおけるワイヤレス通信のための非一時的なコンピュータ可読媒体であって、
ワイヤレス通信チャネルの複数の送信／受信ビームフォーミング方向対のそれぞれに対応する複数の特性を識別することと、
前記識別された複数の特性に少なくとも部分的に基づいて前記ワイヤレス通信チャネルにおける通信に使用するためにワイヤレス多元接続方式間で動的に切り換えることと、ここで、前記ワイヤレス多元接続方式が、直交周波数分割多元接続（ＯＦＤＭＡ）とシングルキャリア周波数分割多元接続（ＳＣ−ＦＤＭＡ）とを備える、
のためのコンピュータ実行可能なコードを記憶する、非一時的なコンピュータ可読媒体。
【国際調査報告】
2017530594.tif 000015
2017530594.tif 000016